(57)【特許請求の範囲】
【請求項１】
毒劇物を輸送用搬送体に搬入する搬入側装置において、
毒劇物を貯蔵する貯蔵タンクと、
前記貯蔵タンクから毒劇物を搬入する搬入口と、
搬入側装置と搬送体との間で通信する専用短距離通信システム（ＤＳＲＣ）とを有し、
輸送する毒劇物の名称を予め搬送体に設置されるＤＳＲＣの車載機に記録させ、
該名称を前記ＤＳＲＣにより搬入側装置に通知し、該名称が搬入側装置が搬入しようとする毒劇物の名称と一致したときにのみ、前記搬入口を開して毒劇物を貯蔵タンクから前記搬送体に搬入することを特徴とする毒劇物の搬入側装置。
【請求項２】
毒劇物を輸送用搬送体から搬出する搬出側装置において、
毒劇物を貯蔵する貯蔵タンクと、
前記貯蔵タンクに毒劇物を搬出する搬出口と、
搬出側装置と搬送体との間で通信する専用短距離通信システム（ＤＳＲＣ）とを有し、
輸送する毒劇物の名称を予め搬送体に設置されるＤＳＲＣの車載機に記録させ、
該名称を前記ＤＳＲＣにより搬出側装置に通知し、該名称が搬出側装置が搬出しようとする毒劇物の名称と一致したときにのみ、前記搬出口を開して毒劇物を前記搬送体から貯蔵タンクに搬出することを特徴とする毒劇物の搬出側装置。
【請求項３】
毒劇物を輸送する輸送用搬送体において、
該搬送体と搬入側装置又は搬出側装置との間で通信する専用短距離通信システム（ＤＳＲＣ）を有し、
輸送する毒劇物の名称を搬送体に設置されるＤＳＲＣの車載機に記録させ、
該名称を前記ＤＳＲＣにより搬入又は搬出の際に搬入側装置又は搬出側装置に通知し、
該名称が、搬入側装置又は搬出側装置が搬入又は搬出しようとする毒劇物の名称と一致したときにのみ、搬入側装置又は搬出側装置の搬入口又は搬出口を開いて毒劇物を搬入または搬出することを特徴とする毒劇物の輸送用搬送体。
【請求項４】
毒劇物を輸送用搬送体に搬入する搬入側システムにおいて、
輸送用搬送体と、
毒劇物を貯蔵する貯蔵タンクと、
前記貯蔵タンクから毒劇物を搬入する搬入口と、
搬入側装置と搬送体との間で通信する専用短距離通信システム（ＤＳＲＣ）とを有し、
輸送する毒劇物の名称を予め搬送体に設置される車載機に記録させ、
該名称を前記ＤＳＲＣにより搬入側装置に通知し、該名称が搬入側装置が搬入しようとする毒劇物の名称と一致したときにのみ、前記搬入口を開して毒劇物を貯蔵タンクから前記搬送体に搬入することを特徴とする毒劇物の搬入側システム。
【請求項５】
毒劇物を輸送用搬送体から搬出する搬出側システムにおいて、
輸送用搬送体と、
毒劇物を貯蔵する貯蔵タンクと、
前記貯蔵タンクに毒劇物を搬出する搬出口と、
搬出側装置と搬送体との間で通信する専用短距離通信システム（ＤＳＲＣ）とを有し、
輸送する毒劇物の名称を予め搬送体に設置される車載機に記録させ、
該名称を前記ＤＳＲＣにより搬出側装置に通知し、該名称が搬出側装置が搬出しようとする毒劇物の名称と一致したときにのみ、前記搬出口を開して毒劇物を前記搬送体から貯蔵タンクに搬出することを特徴とする毒劇物の搬出側システム。
【請求項６】
毒劇物を輸送用搬送体を介して搬入口装置から搬出側装置に搬送する毒劇物搬送システムにおいて、
搬送体と搬入側装置又は搬出側装置との間で通信する専用短距離通信システム（ＤＳＲＣ）を有し、
輸送する毒劇物の名称を予め搬送体に設置されるＤＳＲＣの車載機に記録させ、
該名称を前記ＤＳＲＣにより搬入又は搬出の際に搬入側装置又は搬出側装置に通知し、
該名称が、搬入側装置又は搬出側装置が搬入又は搬出しようとする毒劇物の名称と一致したときにのみ、搬入側装置又は搬出側装置の搬入口又は搬出口を開いて毒劇物を搬入又は搬出することを特徴とする毒劇物搬送システム。
【請求項７】
毒劇物を輸送用搬送体を介して搬入口装置から搬出側装置に搬送する毒劇物搬送システムにおいて、
搬送体と搬入側装置又は搬出側装置との間で通信する専用短距離通信システム（ＤＳＲＣ）を有し、
搬入側装置が搬送体に毒劇物を搬入する際に、搬入側装置はＤＳＲＣにより該毒劇物の名称を、搬送体に設置される車載機に通信して記憶させ、
搬送体から毒劇物を搬出側装置に搬出するときは、搬送体は記憶した毒劇物の名称をＤＳＲＣにより搬出側装置に通知し、
該名称が、搬出側装置が搬出しようとする毒劇物の名称と一致したときにのみ、搬出側装置は搬出口を開して毒劇物を搬送体から貯蔵タンクに搬出することを特徴とする毒劇物搬送システム。
【請求項８】
前記輸送用搬送体がトラックである請求項３に記載の輸送用搬送体。
【請求項９】
輸送する毒劇物の名称が予め車載機に記録される請求項３記載の輸送用搬送体。
【請求項１０】
輸送する毒劇物の名称が搬入側装置から搬送体に搬入する際にＤＳＲＣにより搬入側装置から搬送体に通知され車載機に記録される請求項３記載の輸送用搬送体。
【発明の詳細な説明】
【０００１】
【発明の属する技術分野】
本発明は物流分野、とくに燃料や薬品などの劇毒物の輸配送分野に属する。
【０００２】
【従来の技術】
従来、燃料や薬品などの劇毒物の輸配送については、異なる物質が混合した場合に爆発、炎上などの災害をおこす可能性がある。そのためトラックヘの搬入、トラックからの搬出時には劇毒物の混合を防止するために注意が払われている。劇毒物の輸配送に関わるトラックは耐酸性、対アルカリ性、対熱性などの性能を高めるため特殊な構造をしており、１種類の劇毒物の輸配送に対し１台のトラックが割り当てられることが多い。
【０００３】
劇毒物のトラックヘの搬入に関しては、搬入口ヘトラックが進入、停車しようとする場合に、搬入する劇毒物とトラックが輸配送する劇毒物が一致する場合に、進入、停車を許可する。一方、搬入する劇毒物とトラックが輸配送する劇毒物が異なる場合には、進入、停車を許可しない。さらに進入、停車が許可された場合でも、搬入時には再度、搬入口より搬入する劇毒物とトラックが輸配送する劇毒物が一致することを確認する。これらの確認は従来ではすべて人手によるものであった。
【０００４】
劇毒物のトラックからの搬出に関しても同様である。搬出口へトラックが進入、停車しようとする場合に、搬出する劇毒物とトラックが輸配送する劇毒物が一致する場合に、進入、停車を許可する。一方、搬出する劇毒物とトラックが輸配送する劇毒物が異なる場合には、進入、停車を許可しない。さらに進入、停車が許可された場合でも、搬出時には再度、搬入口より搬入する劇毒物とトラックが輸配送する劇毒物が一致することを確認する。これらの確認は従来ではすべて人手によるものであった。
【０００５】
以上に述べたように、搬入、搬出時における劇毒物の名称の確認は人手によるため、人為的なミスにより異なる劇毒物が混合し、爆発、炎上などの災害が引き起こされる事例があった。
【０００６】
１台のトラックが、複数の劇毒物の輸配送に割り当てられる場合にはトラックが輸配送している劇毒物の名称を運転手または輸配送に関わる人間が記憶しておかねばならない。トラックの搬入、搬出口への進入、停車をトラックの外見から判断することはできなくなり、輸配送に関わる人間への安全確認の依存性は大きくなる。
【０００７】
【発明が解決しようとする課題】
以上に述べたように、劇毒物の輸配送に関しては、搬入搬出口の関わる劇毒物の名称と輸配送する劇毒物の名称の一致の確認は人手によるため、人為的なミスがはいりこみ、災害を引き起こす危険性がありうる。
【０００８】
本発明は、以上のような人為的なミスを排除する毒劇物輸配送システムを提供することを目的とする。
【０００９】
【課題を解決するための手段】
上記目的を達成するための本発明のひとつの特徴は、毒劇物を輸送用搬送体を介して搬入口装置から搬出側装置に搬送する毒劇物搬送システムにおいて、搬送体と搬入側装置又は搬出側装置との間で通信する専用短距離通信システム（ＤＳＲＣ）を有し、輸送する毒劇物の名称を予め搬送体に設置されるＤＳＲＣの車載機に記録させ、該名称を前記ＤＳＲＣにより搬入又は搬出の際に搬入側装置又は搬出側装置に通知し、該名称が、搬入側装置又は搬出側装置が搬入又は搬出しようとする毒劇物の名称と一致したときにのみ、搬入側装置又は搬出側装置の搬入口又は搬出口を開いて毒劇物を搬入又は搬出する毒劇物搬送システムにある。
【００１０】
専用短距離通信システムＤＳＲＣを劇毒物の搬入、搬出口に設置する。また記憶装置、ＤＳＲＣとの通信装置を有する車載機を劇毒物を輸配送するトラックに設置する。ＤＳＲＣ(Dedicated Short Range Communications)は限られた区域を通行または停車している搬送体に搭載された車載機のみと通信する機能を有する通信システムである。
【００１１】
１種類の劇毒物の輸配送に対し１台のトラックが割り当てられる場合を説明する。あらかじめ車載機にそのトラックが輸配送する劇毒物の名称を記憶させる。トラックヘの搬入に関しては、搬入口ヘトラックが進入、停車しようとする場合に、車載機から劇毒物名を搬入口に設置されたＤＳＲＣに送信し、搬入する劇毒物とトラックが輸配送する劇毒物が一致するか否かをＤＳＲＣ側で確認する。一致する場合に、進入、停車を許可する。異なる場合には、進入、停車を許可しない。
【００１２】
劇毒物のトラックからの搬出に関しても同様である。あらかじめ車載機にそのトラックが輸配送する劇毒物の名称を記憶させる。トラックからの搬出に関しては、搬出口ヘトラックが進入、停車しようとする場合に、車載機から劇毒物名を搬入口に設置されたＤＳＲＣに送信し、搬出する劇毒物とトラックが輸配送する劇毒物が一致するか否かをＤＳＲＣ側で確認する。一致する場合に、進入、停車を許可する。異なる場合には、進入、停車を許可しない。
【００１３】
複数種類の劇毒物の輸配送に対し１台のトラックが割り当てられる場合を説明する。ここでは１回毎の輸配送する劇毒物は１種類とする。劇毒物をトラックヘ搬入するときに搬入口側のＤＳＲＣから車載機へ、搬入する劇毒物の名称を送信し記憶させる。トラックからの搬出に関しては、搬出口ヘトラックが進入、停車しようとする場合に、車載機から劇毒物名を搬出口に設置されたＤＳＲＣに送信し、搬出口より搬出する劇毒物とトラックが輸配送する劇毒物が一致するか否かをＤＳＲＣ側で確認する。一致する場合に、進入、停車を許可する。異なる場合には、進入、停車を許可しない。
【００１４】
【発明の実施の形態】
専用短距離通信システムＤＳＲＣ(Dedicated Short Range Communications)を具備したトラックヘの毒劇物の搬入口Ａ、トラックからの劇毒物搬出口Ｂと、それらのＤＳＲＣと送受信可能で送受信情報を記録できる車載機Ｃを具備したトラックＴにより構成される。
【００１５】
［実施例１］
実施例１においては、上記構成の毒劇物輸配送システムにおいて、１種類の劇毒物の輸配送に対し１台のトラックＴが割り当てられる場合を想定する。車載機Ｃに予め輸送する毒劇物の名称Ｎ１を記録させ、車載機を具備したトラックに劇毒物を搬入する際に、車載機Ｃから搬入口Ａに設置されたＤＳＲＣに輸配送する劇毒物の名称Ｎ１を通信する。ここで搬入口Ａより搬入されなければならない劇毒物名をＮ２とする。車載機ＣからＤＳＲＣに送信された劇毒物の名称Ｎ１が搬入口Ａより搬入される劇毒物名が一致した場合(Ｎ１とＮ２の名称が同一である場合)、つまりトラックヘの搬入口Ａが劇毒物Ｎ１の搬入口である場合に、開放し劇毒物Ｎ１をトラックＴに搬入する。車載機ＣからＤＳＲＣに送信される劇毒物の名称Ｎ１と搬入口Ａより搬入される劇毒物名が一致しない場合(Ｎ１とＮ２の名称が異なる場合)、つまりトラックＴへの搬入口Ａが劇毒物Ｎ１の搬入口ででない場合に搬入口Ａを閉鎖し当該劇毒物をトラックに搬入しない。
【００１６】
［実施例２］
実施例２においては、上記構成の毒劇物輸配送システムにおいて、１種類の劇毒物の輸配送に対し１台のトラックＴが割り当てられる場合を想定する。車載機Ｃに予め輸送する毒劇物の名称Ｎ１を記録させ、車載機を具備したトラックから劇毒物を搬出する際に、車載機Ｃから搬出口Ｂに設置されたＤＳＲＣに輸配送する劇毒物の名称Ｎ１を通信する。ここで搬出口Ｂを使ってトラックから搬出されなければならない劇毒物名をＮ３とする。車載機ＣからＤＳＲＣに送信された劇毒物の名称Ｎ１が搬出口Ｂより搬出される劇毒物名が一致した場合(Ｎ１とＮ３の名称が同一である場合)、つまりトラックからの搬出口Ｂが劇毒物Ｎ１の搬出口である場合に、開放し劇毒物Ｎ１をトラックＴから搬出する。車載機ＣからＤＳＲＣに送信される劇毒物の名称Ｎ１と搬出口Ｂより搬出される劇毒物名が一致しない場合(Ｎ１とＮ２の名称が異なる場合)、つまりトラックＴへの搬出口Ｂが劇毒物Ｎ１の搬出口ででない場合に搬出口Ｂを閉鎖し当該劇毒物をトラックに搬出しない。
【００１７】
［実施例３］
実施例３においては、上記構成の毒劇物輸配送システムにおいて、複数種類の劇毒物の輸配送に対し１台のトラックＴが割り当てられる場合を想定する。ここでは１回毎の輸配送する劇毒物は１種類とする。劇毒物をトラックヘ搬入するときに搬入口ＡのＤＳＲＣから車載機Ｃへ、搬入する劇毒物の名称Ｎ４を送信し記憶させる。車載機を具備したトラックに劇毒物を搬出する際に、車載機Ｃから搬出口Ｂに設置されたＤＳＲＣに輸配送する劇毒物の名称Ｎ４を通信する。ここで搬出口Ｂを使ってトラックから搬出されなければならない劇毒物名をＮ５とする。車載機ＣからＤＳＲＣに送信された劇毒物の名称Ｎ４が搬出口Ｂより搬出される劇毒物名が一致した場合(Ｎ４とＮ５の名称が同一である場合)、つまりトラックからの搬出口Ｂが劇毒物Ｎ４の搬出口である場合に、開放し劇毒物Ｎ４をトラックＴから搬出する。車載機ＣからＤＳＲＣに送信される劇毒物の名称Ｎ１と搬出口Ｂより搬出される劇毒物名が一致しない場合(Ｎ４とＮ５の名称が異なる場合)、つまりトラックＴへの搬出口Ｂが劇毒物Ｎ４の搬出口ででない場合に搬出口Ｂを閉鎖し当該劇毒物をトラックに搬出しない。
【００１８】
【発明の効果】
本発明により、劇毒物のトラックヘの搬入、トラックからの搬出時に異なる劇毒物が混合することを防ぐことができる。これらの混合により発生する爆発、火災などの災害を防止することができる。
【００１９】
なお、上記説明で搬送体は代表的にはトラックであるが、これに限定されず、例えば、船、航空機、ベルトコンベア等でも可能である。
【図面の簡単な説明】
【図１】本発明による毒劇物輸配送システムの実施例を示す。
【図２】本発明による毒劇物輸配送システムの別の実施例を示す。
【符号の説明】
Ａ  毒劇物の搬入口
Ｂ  毒劇物の搬出口
Ｃ  車載機
Ｔ  トラック
Ｋ１、Ｋ２  劇毒物貯蔵タンク
Ｎ１、Ｎ２、Ｎ３、Ｎ４、Ｎ５  劇毒物物質名
【図１】
0003637841.tif 000002
【図２】
0003637841.tif 000003